(57)【要約】【課題】サージ電圧による集積回路の誤動作防止用の装置及びその方法を提供する。【解決手段】サージ電圧による集積回路の誤動作防止用装置は、導電性である第１物質と、一面が第１物質の一面に接触する絶縁性の第２物質と、を備え、集積回路のノードと接地との間に連結され、静電気は通過させ、所定の電圧レベルを有する直流電圧及び交流電圧は通過させない誤動作防止装置である。【選択図】図２
2006223095.tif 000002
【特許請求の範囲】
【請求項１】
サージ電圧による集積回路の誤動作防止用装置において、
前記誤動作防止装置は、
導電性である第１物質と、
一面が前記第１物質の一面に接触する絶縁性の第２物質と、を備え、
前記集積回路のノードと接地との間に連結されることを特徴とする誤動作防止装置。
【請求項２】
前記誤動作防止装置は、
前記第２物質の第１面は、前記第１物質の第２面と接触し、
前記第１物質の第１面は、前記集積回路のノードに連結され、
前記第２物質の第２面は、前記集積回路の接地に連結されることを特徴とする請求項１に記載の誤動作防止装置。
【請求項３】
静電気は通過させ、所定の電圧レベルを有する直流電圧及び交流電圧は通過させないことを特徴とする請求項１に記載の誤動作防止装置。
【請求項４】
前記サージ電圧は、
静電気、直流電圧及び交流電圧であることを特徴とする請求項３に記載の誤動作防止装置。
【請求項５】
前記第１物質は、
ＥＭＩ吸収物質であることを特徴とする請求項１に記載の誤動作防止装置。
【請求項６】
前記第１物質は、
導電性物質を含むゴム材質を備える薄膜物質であることを特徴とする請求項１に記載の誤動作防止装置。
【請求項７】
前記第２物質は、
微細な孔隙のある絶縁性の薄膜物質であることを特徴とする請求項１に記載の誤動作防止装置。
【請求項８】
前記第２物質は、
薄膜の紙及び布のうち何れか一つであることを特徴とする請求項１に記載の誤動作防止装置。
【請求項９】
前記ノードは、
前記集積回路の最外側の導体であることを特徴とする請求項１に記載の誤動作防止装置。
【請求項１０】
前記第２物質の第１面が前記第１物質の第２面と接触すれば、前記第１物質の第１面は前記ノードと連結され、前記第２物質の第２面は前記接地と連結され、
前記第２物質の第２面が前記第１物質の第１面と接触すれば、前記第１物質の第２面は前記接地と連結され、前記第２物質の第１面は前記ノードと連結されることを特徴とする請求項１に記載の誤動作防止装置。
【請求項１１】
サージ電圧による集積回路の誤動作防止方法において、
前記集積回路のノードと接地との間に誤動作防止装置を配置するステップであって、
前記誤動作防止装置は、
第１面及び第２面を備え、導電性である第１物質と、
第１面及び第２面を備え、第１面が前記第１物質の第２面に接触する絶縁性の第２物質を備え、
前記誤動作防止方法は、
前記第１物質の前記第１面を前記ノードに連結させるステップと、
前記第２物質の前記第２面を前記接地に連結させるステップ、または、
前記第１物質の前記第１面を前記接地に連結させるステップと、
前記第２物質の前記第２面を前記ノードに連結させるステップと、を含むことを特徴とする誤動作防止方法。
【請求項１２】
前記誤動作防止装置は、
静電気は通過させ、所定の電圧レベルを有する直流電圧及び交流電圧は通過させないことを特徴とする請求項１１に記載の誤動作防止方法。
【請求項１３】
前記サージ電圧は、
静電気、直流電圧及び交流電圧であることを特徴とする請求項１２に記載の誤動作防止方法。
【請求項１４】
前記第１物質は、
ＥＭＩ吸収物質であることを特徴とする請求項１１に記載の誤動作防止方法。
【請求項１５】
前記第１物質は、
導電性物質を含むゴム材質を備える薄膜物質であることを特徴とする請求項１１に記載の誤動作防止方法。
【請求項１６】
前記第２物質は、
微細な孔隙がある絶縁性薄膜物質であることを特徴とする請求項１１に記載の誤動作防止方法。
【請求項１７】
前記第２物質は、
薄膜の紙及び布のうち何れか一つであることを特徴とする請求項１１に記載の誤動作防止方法。
【請求項１８】
前記ノードは、
前記集積回路の最外側の導体であることを特徴とする請求項１１に記載の誤動作防止方法。
【請求項１９】
静電気による集積回路の誤動作を防止するために、導電性物質及び絶縁性物質を積層して、前記集積回路の最外側の導体と接地との間に連結して、前記静電気は通過させ、直流電圧及び交流電圧は通過させないことを特徴とする誤動作防止装置。
【請求項２０】
前記導電性物質は、
ＥＭＩ吸収物質であることを特徴とする請求項１９に記載の誤動作防止装置。
【請求項２１】
前記導電性物質は、
微細な導電性物質が高密度で含まれたゴム材質からなる薄膜物質であることを特徴とする請求項１９に記載の誤動作防止装置。
【請求項２２】
前記絶縁性物質は、
微細な孔隙のある絶縁性薄膜物質であることを特徴とする請求項１９に記載の誤動作防止装置。
【請求項２３】
前記絶縁性物質は、
薄膜の紙及び布のうち何れか一つであることを特徴とする請求項１９に記載の誤動作防止装置。
【請求項２４】
前記誤動作防止装置は、
静電気は通過させ、所定の電圧レベルを有する直流電圧及び交流電圧は通過させないことを特徴とする請求項１９に記載の誤動作防止装置。
【請求項２５】
前記絶縁性物質の第１面が前記導電性物質の第２面と接触すれば、前記導電性物質の第１面は前記ノードと連結され、前記絶縁性物質の第２面は前記接地と連結され、
前記絶縁性物質の第２面が前記導電性物質の第１面と接触すれば、前記導電性物質の第２面は前記接地と連結され、前記絶縁性物質の第１面は前記ノードと連結されることを特徴とする請求項１９に記載の誤動作防止装置。
【発明の詳細な説明】
【技術分野】
【０００１】
本発明は、集積回路に係り、特に、高電圧の突然の供給、すなわち、サージ電圧による集積回路の誤動作を防止するための誤動作防止装置及び誤動作防止方法に関する。
【背景技術】
【０００２】
集積回路技術を利用する集積回路装置は、次第に小型化し、動作電圧が低くなる方向に発展している。小さいサイズ及び低い動作電圧を有する集積回路装置は、一般的によく発生する静電気のような突然の電圧の印加に非常に弱いという問題がある。
【０００３】
すなわち、よく発生する静電気のようなサージ電圧は、集積回路装置に影響を及ぼして、機械的な誤作動や製品品質の低下などの問題を発生させる。集積回路装置の例として、常に携帯して使用している携帯用端末機を挙げて説明する。
【０００４】
携帯用端末機は、一般的に、外部の衝撃に耐性を有し、光沢を与えるために、表面に導電性の金属を備える。このような携帯用端末機は、充電器を装着した状態で大地の接地電圧を基準に、表面の導電性金属の電圧レベルが所定の基準電圧レベルを超えてはならない。
【０００５】
表面の導電性金属の電圧レベルが基準電圧レベルを超えれば、携帯用端末機を携帯する人が感電する危険があるためである。携帯用端末機の表面の導電性金属の電圧レベルは、接地電圧と短絡した場合、約８０〜９０Ｖの交流電圧レベルとなり得るため非常に危険である。
【０００６】
したがって、携帯用端末機の表面の導電性金属は、接地及び短絡されていないフローティング状態を維持しなければならない。
【０００７】
一方、携帯用端末機の表面の導電性金属が接地及び短絡されていない状態で、導電性金属に静電気が印加されれば、携帯用端末機の内部の回路部品は、静電気によって誤動作を行う。
【０００８】
すなわち、携帯用端末機の表面の導電性金属は、静電気と直流（ＤＣ：ｄｉｒｅｃｔ  ｃｕｒｒｅｎｔ）電圧及び交流（ＡＣ：ａｌｔｅｒｎａｔｉｎｇ  ｃｕｒｒｅｎｔ）電圧に対して安定的に動作するために相反する条件を有する。
【０００９】
図１Ａは、一般的な携帯用端末機の断面構造を説明する図である。
【００１０】
図１Ｂは、携帯用端末機の表面の導電性金属の電圧レベルを説明する図である。
【００１１】
図１Ａに示すように、携帯用端末機１００は、最外側の導電性金属１１０、外部圧力支持用金属１２０、携帯用端末機の機能を行う回路部品１３０及びケース１４０を備える。
【００１２】
携帯用端末機１００に印加される静電気は、１次放射ＳＥ１と２次放射ＳＥ２とに区分される。１次放射ＳＥ１は、最外側の導電性金属１１０に静電気が印加される場合であり、２次放射ＳＥ２は、１次放射ＳＥ１された静電気が２次的に外部圧力支持用金属１２０などに印加される場合である。
【００１３】
図１Ｂの（ii）は、静電気が外部圧力支持用金属１２０に印加された場合、外部圧力支持用金属１２０の電圧レベルを説明する波形である。外部圧力支持用金属１２０に連結された接地によって印加される静電気が放電され得るので、電圧レベルは高くない。
【００１４】
しかし、図１Ｂに示すように、最外側の導電性金属１１０に静電気が印加される場合、導電性金属１１０はフローティング状態であるため、導電性金属１１０の電圧レベルは（ｉ）のような波形を表わす。
【００１５】
すなわち、印加された静電気が放電される通路がないため、最外側の導電性金属１１０の電圧レベルは、瞬間的に非常に高く、これによって、回路部品１３０が誤動作する可能性が高い。
【００１６】
静電気による問題を克服するために、最外側の導電性金属１１０を接地と連結すれば、前記したように、ＤＣまたはＡＣ電圧による問題が発生する。したがって、最外側の導電性金属１１０に静電気が印加されても、導電性金属１１０の電圧レベルを（ii）と同様にする必要がある。
【００１７】
すなわち、回路部品１３０を正常に動作させるために、集積回路に対するサージ電圧の影響を減らす必要がある。
【発明の開示】
【発明が解決しようとする課題】
【００１８】
本発明が解決しようとする技術的課題は、サージ電圧による集積回路の誤動作防止装置を提供することである。
【００１９】
本発明が解決しようとする他の技術的課題は、サージ電圧による集積回路の誤動作防止方法を提供することである。
【課題を解決するための手段】
【００２０】
前記技術的課題を解決するための本発明の実施形態に係る、サージ電圧による集積回路の誤動作防止用装置は、導電性である第１物質と、一面が第１物質の一面に接触する絶縁性の第２物質と、を備える。誤動作防止装置は、集積回路のノードと接地との間に連結される。
【００２１】
誤動作防止装置は、サージ電圧のうち静電気は通過させ、所定の電圧レベルを有するＤＣ電圧及びＡＣ電圧は通過させない。
【００２２】
第１物質は、ＥＭＩ吸収物質である。また、第１物質は、微細な導電性物質が高密度で含まれたゴム材質からなる薄膜物質である。
【００２３】
第２物質は、微細な孔隙のある絶縁性の薄膜物質である。また、第２物質は、薄膜の紙及び布のうち何れか一つである。ノードは、集積回路の最外側の導体である。
【００２４】
他の技術的課題を解決するための本発明の他の実施形態に係る、サージ電圧による集積回路の誤動作防止方法は、集積回路のノードと接地との間に誤動作防止装置を配置するステップ、第１物質の第１面をノードに連結させるステップ、及び第２物質の第２面を接地に連結させるステップを含む。
【００２５】
誤動作防止装置は、第１面及び第２面を備え、導電性である第１物質と、第１面及び第２面を備え、第１面が第１物質の第２面に接触される絶縁性の第２物質と、を備える。
【００２６】
誤動作防止装置は、サージ電圧のうち静電気は通過させ、所定の電圧レベルを有するＤＣ電圧及びＡＣ電圧は通過させない。
【００２７】
第１物質は、ＥＭＩ吸収物質である。また、第１物質は、微細な導電性物質が高密度で含まれたゴム材質からなる薄膜物質である。第２物質は、微細な孔隙のある絶縁性薄膜物質である。また、第２物質は、薄膜の紙及び布のうち何れか一つである。ノードは、集積回路の最外側の導体である。
【００２８】
前記技術的課題を解決するための誤動作防止装置は、静電気による集積回路の誤動作を防止するために、導電性物質及び絶縁性物質を積層して、集積回路の最外側の導体と接地との間に連結して、静電気は通過させ、ＤＣ電圧及びＡＣ電圧は通過させない。
【発明の効果】
【００２９】
本発明に係るサージ電圧による集積回路の誤動作防止装置及び誤動作防止方法は、集積回路の最外側の導体に印加される静電気を効果的に放電させつつも、集積回路がＤＣ電圧及びＡＣ電圧によって誤動作する危険を防止できる。
【発明を実施するための最良の形態】
【００３０】
本発明と、本発明の動作上の利点及び本発明の実施によって達成される目的を十分に理解するためには、本発明の望ましい実施形態を例示する添付図面及び図面に記載された内容を参照しなければならない。
【００３１】
以下、添付した図面を参照して本発明の望ましい実施形態を説明することによって、本発明を詳細に説明する。各図面に付された同一参照符号は、同一部材を示す。
【００３２】
図２は、本発明の実施形態に係る誤動作防止装置を示す図である。
【００３３】
図２に示すように、本発明の実施形態に係るサージ電圧による集積回路の誤動作防止装置２２０は、導電性である第１物質Ｍ１、及び一面が第１物質Ｍ１の一面に接触する絶縁性の第２物質Ｍ２を備える。
【００３４】
ここで、サージ電圧とは、瞬間的に印加される高い電圧を意味し、多様な種類の電圧があり得る。本発明の実施形態では、静電気を例として挙げて説明する。しかし、サージ電圧が静電気に限定されるものではない。
【００３５】
誤動作防止装置２２０は、集積回路（図示せず）のノード２１０と接地ＧＮＤとの間に連結される。ここで、集積回路は多様であり、本発明の実施形態では、携帯用端末機を例として挙げて説明する。
【００３６】
ノード２１０は、集積回路の最外側の導体である。すなわち、携帯用端末機の最外側の伝導性金属でありうる。
【００３７】
誤動作防止装置２２０は、携帯用端末機の最外側の伝導性金属と接地との間に連結されて、静電気は通過させ、所定の電圧レベルを有するＤＣ電圧及びＡＣ電圧は通過させない。
【００３８】
したがって、誤動作防止装置２２０は、携帯用端末機の最外側の伝導性金属が印加された静電気は接地にバイパスさせつつも、ＤＣ電圧及びＡＣ電圧に対しては無限大に近い抵抗を有する２つの条件を全て満足させ得る。
【００３９】
誤動作防止装置２２０は、数ｋｖほどのサイズを有する静電気は、接地に直接接触せず、非常に近接した距離（例えば、約１ｍｍ）に印加されても、接地に放電され易く、それに対し、１００Ｖ以下のＤＣまたはＡＣ電圧は、金属と金属との間に直接接触して初めて電気的に導通される原理を利用したものである。
【００４０】
すなわち、導電性の第１物質Ｍ１と絶縁性の第２物質Ｍ２とを接触させた後、ノード２１０と接地ＧＮＤとの間に連結させる。それにより、絶縁性の第２物質Ｍ２によってＤＣ電圧及びＡＣ電圧による影響が除去され、導電性の第１物質Ｍ１は、接地ＧＮＤに非常に近接して配置されるため、静電気が接地ＧＮＤに放電され得る。
【００４１】
ここでは、第１物質の第１面がノードに連結され、第２物質の第２面が接地に連結されると説明したが、逆に、第２物質の第２面がノードに連結され、第１物質の第１面が接地に連結されても良い。
【００４２】
図３は、図２の誤動作防止装置の構造を説明する図である。
【００４３】
導電性の第１物質Ｍ１は、ＥＭＩ（ｅｌｅｃｔｒｏｍａｇｎｅｔｉｃ  ｉｎｔｅｒｆｅｒｅｎｃｅ）吸収物質でありうる。ＥＭＩ吸収物質の例として、第１物質Ｍ１は、微細な導電性物質３１０が高密度で含まれたゴム材質からなる薄膜物質である。微細な導電性物質３１０は、金属粉のような物質でありうる。
【００４４】
微細な金属粉のような物質が、ゴム材質からなる薄い物質の内部に高密度で含まれれば、金属粉を通じて静電気が移動できる。
【００４５】
第２物質Ｍ２は、微細な孔隙３２０のある絶縁性の薄膜物質である。絶縁性の薄膜物質の例として、第２物質Ｍ２は、非常に薄い紙または非常に薄い布でありうる。薄い紙や布で第１物質Ｍ１の一面を積めば、ＤＣ電圧またはＡＣ電圧は通過できない。しかし、静電気は、孔隙３２０を通じて移動できる。
【００４６】
図３には、第２物質Ｍ２が第１物質Ｍ１の一面にのみ接触するように示されているが、第１物質Ｍ１全体を取り囲んでも良い。
【００４７】
ここで、ＥＭＩ吸収物質は、微細な導電性物質３１０が高密度で含まれたゴム材質からなる薄膜物質に限定されるものではなく、電磁波吸収の可能な他の物質も利用し得るということを、当業者ならば理解できる。
【００４８】
また、第２物質Ｍ２も紙または布に限定されるものではなく、孔隙のある絶縁性物質ならば他の物質も利用し得るということを、当業者ならば理解できる。
【００４９】
図４は、本発明の他の実施形態に係る誤動作防止方法を説明するフローチャートである。
【００５０】
図４に示すように、本発明の他の実施形態に係るサージ電圧による集積回路の誤動作防止方法４００は、まず、集積回路（図示せず）のノードと接地との間に誤動作防止装置を配置する（ステップ４１０）。
【００５１】
誤動作防止装置は、第１面及び第２面を備え、導電性である第１物質と、第１面及び第２面を備え、第１面が第１物質の第２面に接触する絶縁性の第２物質とを備える。誤動作防止装置は、図２及び図３に示す誤動作防止装置２２０と構造及び性質が同一であるので、その詳細な説明を省略する。
【００５２】
第１物質の第１面をノードに連結させる（ステップ４２０）。ここで、ノードは、集積回路（図示せず）の最外側の伝導性金属である。最後に、第２物質の第２面を前記接地に連結させる（ステップ４３０）。
【００５３】
ここでは、第１物質の第１面がノードに連結され、第２物質の第２面が接地に連結されると説明したが、逆に、第２物質の第２面がノードに連結され、第１物質の第１面が接地に連結されてもよい。
【００５４】
サージ電圧による集積回路の誤動作防止方法４００の重要な要素である誤動作防止装置については、図２及び図３によって説明したので、その詳細な説明を省略する。
【００５５】
以上、図面及び明細書で最適の実施形態が開示された。ここでは特定の用語が使用されたが、これは、単に、本発明を説明するための目的で使用されたものであり、意味限定や特許請求の範囲に記載された本発明の範囲を制限するために使用されたものではない。したがって、当業者ならば、これから多様な変形及び均等な他の実施形態が可能であるということが理解できるであろう。したがって、本発明の真の技術的な保護範囲は、特許請求の範囲の技術的な思想により決まらなければならない。
【産業上の利用可能性】
【００５６】
本発明は、集積回路に関連した技術分野に好適に適用され得る。
【図面の簡単な説明】
【００５７】
【図１Ａ】一般的な携帯用端末機の断面構造を説明する図である。
【図１Ｂ】携帯用端末機の表面の導電性金属の電圧レベルを説明する図である。
【図２】本発明の実施形態に係る誤動作防止装置を示す図である。
【図３】図２の誤動作防止装置の構造を説明する図である。
【図４】本発明の他の実施形態に係る誤動作防止方法を説明するフローチャートである。
【符号の説明】
【００５８】
２１０    ノード
２２０    誤動作防止装置
Ｍ１      第１物質
Ｍ２      第２物質
ＧＮＤ    接地
【図１Ａ】
2006223095.tif 000003
【図１Ｂ】
2006223095.tif 000004
【図２】
2006223095.tif 000005
【図３】
2006223095.tif 000006
【図４】
2006223095.tif 000007